(57)【要約】【課題】低月齢児のＭ字型に開いた両脚に無理なく通せる低月齢児用パンツ型おむつの提供。【解決手段】胴回り弾性部材を備える前後ベルト１８，１９の側縁部どうしがシーム部２０において接合され、前後ベルトの上端部１８ａ，１９ａにより胴回り開口縁２２が形成され、前後ベルトの下端部１８ｂ，１９ｂと股間パネル１３の両側縁部１３ｃ，１３ｄとで一対の脚回り開口縁２３が形成される低月齢児用のパンツ型おむつ１０であって、シーム部での前後ベルトの接合を解いておむつを平面状に伸展したとき、前後ベルトの上端部間の離間寸法Ｌ１が３００〜４００ｍｍの範囲にあり、シーム部を横切る胴回り弾性部材の内、前ベルトの下端部に最も近い前ベルト側の胴回り弾性部材と、後ベルトの下端部に最も近い後ベルト側の胴回り弾性部材との離間寸法Ｌ２が、前後ベルトの上端部どうしの間の離間寸法の少なくとも５５％である。【選択図】図２
2014150908.tif 000002
【特許請求の範囲】
【請求項１】
互いに直交する横方向、前後方向、及び上下方向を有し、前記横方向に延びる前ベルト及び後ベルトと、前記上下方向に延びて前記前後ベルトに接合される股間パネルとを備え、
前記前後ベルトのそれぞれに、前記横方向に延びる複数条の胴回り弾性部材が伸長状態で取り付けられ、前記股間パネルの両側縁部に脚回り弾性部材が伸長状態で取り付けられており、前記前後ベルトの側縁部どうしがシーム部において接合されて、前記前後ベルトの上端部により胴回り開口縁が形成され、前記前後ベルトの下端部と前記股間パネルの両側縁部とにより一対の脚回り開口縁が形成される低月齢児用のパンツ型おむつであって、
前記前後ベルトの前記シーム部における接合を解いて前記おむつを平面状に伸展したとき、前記前後ベルトの前記上端部どうしの間の離間寸法が３００ｍｍ〜４００ｍｍの範囲にあり、
前記シーム部を横切る前記胴回り弾性部材の内、前記前ベルトの前記下端部に最も近い前記前ベルト側の前記胴回り弾性部材と、前記後ベルトの前記下端部に最も近い前記後ベルト側の前記胴回り弾性部材との離間寸法が、前記前後ベルトの前記上端部どうしの間の離間寸法の少なくとも５５％であることを特徴とする前記おむつ。
【請求項２】
前記脚回り弾性部材及び前記胴回り弾性部材が前記伸長状態にあるとき、前記一対の脚回り開口縁のそれぞれの周長が３３０ｍｍ〜４３０ｍｍの範囲にある請求項１記載のおむつ。
【請求項３】
前記胴回り弾性部材が前記伸長状態にあるとき、前記胴回り開口縁の周長が５５０ｍｍ〜６５０ｍｍの範囲である請求項１または２記載のおむつ。
【請求項４】
前記前後ベルトの前記横方向の寸法に対する前記股間パネルの前記横方向の寸法の比率が少なくとも５０％である、請求項１〜３のいずれか１項に記載のおむつ。
【請求項５】
前記胴回り弾性部材の伸長倍率よりも、前記脚回り弾性部材の伸長倍率の方が高い、請求項１〜４のいずれか１項に記載のおむつ。
【請求項６】
前記おむつを前記前後ベルトの前記側縁部の接合を解いて平面状に伸展したとき、前記股間パネルの前記両側縁部に沿って一対の立体カフが設けられ、前記立体カフは股間パネルの両側縁部に並行に延びる固定縁部及び自由縁部と、前記固定縁部及び前記自由縁部に直交する両端部とを有し、前記自由縁部には立体カフ弾性部材が伸長状態で取り付けられ、前記両端部において、前記自由縁部が前記おむつの横方向における外方に向けて折り返されて前記前後ベルトに対し接合されている、請求項１〜５のいずれか１項に記載のおむつ。
【請求項７】
前記脚回り弾性部材と前記立体カフ弾性部材の伸長倍率が互いに等しい、請求項６に記載のおむつ。
【発明の詳細な説明】
【技術分野】
【０００１】
この発明は、使い捨てのパンツ型おむつに関し、より詳しくは、使い捨ての低月齢児用パンツ型おむつに関する。
【背景技術】
【０００２】
従来、パンツ型おむつは公知である。例えば、特許文献１には、股下域に位置する体液吸収パネルが前後方向へ伸びて、前後胴回り域それぞれの内面を形成しているシート部材に固定され、体液吸収性パネルは、その両側に形成されているフラップ部の自由縁部に股部弾性部材が伸長状態で取り付けられており、前後胴回り域の足回り開口縁部には下方弾性部材が伸長状態で取り付けられている構成の使い捨てパンツ型おむつが開示されている。
【先行技術文献】
【特許文献】
【０００３】
【特許文献１】特開２００９−６１０５２号公報
【発明の概要】
【発明が解決しようとする課題】
【０００４】
特許文献１に開示されているような従来のパンツ型おむつは、幼児が起立した状態や、はいはいが出来る成長段階から装着させることを想定して設計されている。従来のおむつの設計は、重力や排泄物の重さでおむつがズレ落ちることを防ぐため、胴回りを締める必要があるとの考えに基づいている。しかし、低月齢児は、仰向けに寝た姿勢でいることが多く、立ち上がったり歩いたりすることは無いこと、両脚がＭ字型に開いていること、股関節が未発達であることなど、起立可能な幼児には見られない特徴を有している。そのため、そもそも低月齢児向けの製品はテープ型おむつしかなく、低月齢児向けのパンツ型おむつは提供されていない。本願発明者らは、この低月齢児特有の特徴に着目して鋭意研究した結果、低月齢児用おむつの場合、重力や排泄物の重さでズレ落ちないようにするために胴回りを従来のおむつのように締める必要は無いこと、おむつの吸収体は低月齢児の体にフィットさせるために軽く抑える程度でよいこと、おむつを履かせるとき低月齢児の脚に負担を与えず、また母親が不安を感じずに低月齢児の脚をおむつに楽に通せるようにするには、広い脚繰り寸法であることが好ましいことを見出した。しかし、特許文献１に開示されているような従来のパンツ型おむつにおいて、前後胴回り域の足回り開口縁部の寸法を大きくして脚繰り寸法を広げようとすると、低月齢児の脚回りにフィットさせるために、下方弾性部材の伸長倍率を上げる必要が出てくる。しかし、下方弾性部材の伸長倍率を上げることは、上述の低月齢児に適したおむつの条件に反する。このように、低月齢児に適したパンツ型おむつの条件を満たすことは困難なため、低月齢児に適したサイズのパンツ型おむつが待ち望まれている。
【０００５】
本発明の目的は、仰向けに寝た状態の新生児等の低月齢の幼児のＭ字型に開いた両脚に負担をかけることなく、また母親に不安を感じさせることなく楽に装着可能な使い捨ての低月齢児用パンツ型おむつの提供にある。
【課題を解決するための手段】
【０００６】
前記課題を解決するために、本発明は、互いに直交する横方向、前後方向、及び上下方向を有し、前記横方向に延びる前ベルト及び後ベルトと、前記上下方向に延びて前記前後ベルトに接合される股間パネルとを備え、前記前後ベルトのそれぞれに、前記横方向に延びる複数条の胴回り弾性部材が伸長状態で取り付けられ、前記股間パネルの両側縁部に脚回り弾性部材が伸長状態で取り付けられており、前記前後ベルトの側縁部どうしがシーム部において接合されて、前記前後ベルトの上端部により胴回り開口縁が形成され、前記前後ベルトの下端部と前記股間パネルの両側縁部とにより一対の脚回り開口縁が形成される低月齢児用のパンツ型おむつに関する。
【０００７】
本発明に係る低月齢児用のパンツ型おむつは、前記前後ベルトの前記側縁部の接合を解いて前記おむつを平面状に伸展したとき、前記前後ベルトの前記上端部どうしの間の離間寸法が３００ｍｍ〜４００ｍｍの範囲にあり、前記シーム部を横切る前記胴回り弾性部材の内、前記前ベルトの前記下端部に最も近い前記前ベルト側の前記胴回り弾性部材と、前記後ベルトの前記下端部に最も近い前記後ベルト側の前記胴回り弾性部材との離間寸法が、前記前後ベルトの前記上端部どうしの間の離間寸法の少なくとも５５％であることを特徴とする。
【発明の効果】
【０００８】
本発明に係る低月齢児用のパンツ型おむつにおいては、前後ベルトの上端部どうしの間の離間寸法が３００ｍｍ〜４００ｍｍの範囲にあり、シーム部を横切る胴回り弾性部材の内、前ベルトの下端部に最も近い前ベルト側の胴回り弾性部材と、後ベルトの下端部に最も近い後ベルト側の胴回り弾性部材との離間寸法が、前後ベルトの上端部どうしの間の離間寸法の少なくとも５５％であるため、パンツを装着させる際に脚を通す箇所の伸縮可能範囲が大きくなる結果、仰向けに寝た状態の低月齢児のＭ字型に開いた両脚を無理なく通して装着させることができるパンツ型おむつが提供される。
【図面の簡単な説明】
【０００９】
【図１】本発明に係る低月齢児用パンツ型おむつの一例の斜視図。
【図２】パンツ型おむつを平面状に伸展したときの一部破断平面図。
【図３】おむつの分解斜視図。
【図４】図２のＩＶ−ＩＶ線模式断面図。
【図５】図２のＶ−Ｖ線模式断面図。
【発明を実施するための形態】
【００１０】
図１、図２を参照すると、使い捨ておむつ１０は、互いに直交する横方向Ｘ、前後方向Ｙ、及び上下方向Ｚと、着用者の肌に対向する肌対向面及びその反対側に位置する非肌対向面とを有し、横方向Ｘに延びる前ベルト１８及び後ベルト１９と、上下方向Ｚに延びて前後ベルト１８，１９に接合される股間パネル１３とを備える。前ベルト１８及び後ベルト１９は、一対のシーム部２０において側縁部どうしが接合されることにより、環状のベルトを形成している。股間パネル１３は、その前後端部１３ａ，１３ｂ（図２参照）が、それぞれ前ベルト１８及び後ベルト１９の中央部に接合されている。また、おむつ１０は前ベルト１８の上端部１８ａと後ベルト１９の上端部１９ａとにより形成される胴回り開口縁２２と、股間パネル１３の両側縁部１３ｃ，１３ｄと、前ベルト１８及び後ベルト１９の下端部１８ｂ及び下端部１９ｂとにより形成される一対の脚回り開口縁２３とを有する。
【００１１】
図２は、図１のおむつ１０のシーム部２０における前ベルト１８と後ベルト１９との接合を解き、平面状に伸展したときのおむつ１０の一部破断平面図である。なお、図１におけるおむつ１０の上下方向Ｚは、図２では紙面縦方向に相当する。以下の説明では、おむつ１０の上下方向Ｚを縦方向Ａと呼ぶことがある。図２に示すように、前ベルト１８と後ベルト１９は同形同大の矩形形状を有する。前ベルト１８は、横方向Ｘに延びる上端部１８ａ及び下端部１８ｂと、上下端部１８ａ，１８ｂに直交する両側縁１８ｃ，１８ｄとを有し、後ベルト１９は、横方向Ｘに延びる上端部１９ａ及び下端部１９ｂと、上端部１９ａ及び下端部１９ｂに直交する両側縁１９ｃ，１９ｄとを有する。互いに対応する前ベルト１８の両側縁１８ｃ，１８ｄと後ベルト１９の両側縁１９ｃ，１９ｄの肌対向面どうしを重ね合わせて、縦方向Ａに延びるシーム部２０において、例えば熱エンボス加工、超音波溶着などの公知の熱溶着手段によって接合したとき、前後ベルト１８，１９の上端部１８ａ，１９ａとで、おむつ１０の胴回り開口縁２２が形成される。前後ベルト１８，１９には横方向Ｘに延びる胴回り弾性部材３０が伸長状態で取り付けられており、股間パネル１３の両側縁部１３ｃ，１３ｄには縦方向Ａに延びる脚回り弾性部材３２が伸長状態で取り付けられている。
【００１２】
図３に示すように、前後ベルト１８，１９は、それぞれ、１枚の前シート部材２４及び１枚の後シート部材２５を半分に折り返した中に、横方向Ｘに延びる複数条の胴回り弾性部材３０を伸長状態でホットメルト接着剤により接合して形成されている。この構成に代えて、前後ベルト１８，１９を、それぞれ、肌対向面側に位置する内層側シートと、非肌対向面側に位置する外層側シートとで構成することもできる。
【００１３】
前シート部材２４及び後シート部材２５は、通気性を有する熱可塑性樹脂製の繊維不織布またはプラスチックシートを用いて形成することが好ましい。熱可塑性樹脂製の繊維不織布またはプラスチックシートとして、例えば、単位面積当り質量が約１５〜３０ｇ／ｍ２のＳＭＳ（スパンボンド・メルトブローン・スパンボンド）繊維不織布、スパンボンド不織布、エアスルー不織布、通気性プラスチックシートから成る群から１種または２種以上を選択して用いることができる。
【００１４】
前シート部材２４及び後シート部材２５において横方向Ｘに延びる胴回り弾性部材３０は、複数条のストランド状又はストリング状の弾性糸で構成されており、ホットメルト接着剤を用いて、折り返されたシート間に伸長状態で接合されている。このようにして前後ベルト１８，１９に取り付けられた胴回り弾性部材３０は、前後ベルト１８，１９において横方向Ｘに延び、前後ベルト１８，１９を接合したときシーム部２０を横切る。シーム部２０を横切る胴回り弾性部材３０の内、前後ベルト１８，１９の上端部１８ａ，１９ａに最も近い胴回り弾性部材３０ａは、上端部１８ａ，１９ａに重なり合って延在する。一方、シーム部２０を横切る胴回り弾性部材３０の内、前後ベルト１８，１９の下端部１８ｂ，１９ｂに最も近い胴回り弾性部材３０ｂは、下端部１８ｂ，１９ｂから５〜１０ｍｍ離間した位置で横方向Ｘに延在する。複数条の弾性糸として、例えば、太さ３１０〜６２０ｄｔｅｘ、好ましくは太さ４００〜６００ｄｔｅｘのゴム紐等の弾性糸を用いて、伸長倍率２．０〜３．５倍、好ましくは伸長倍率２．０〜２．５倍、さらに好ましくは２．２〜２．３倍において、折り返した前シート部材２４及び後シート部材２５の間に接合することができる。胴回り弾性部材３０は、前後ベルト１８，１９を低月齢児の胴回りにフィットさせる機能を有する。低月齢児の肌は、高月齢の幼児と比較すると柔らかいので、胴回り弾性部材３０の伸長倍率を、高月齢の幼児用の場合よりも低くすることが好ましい。
【００１５】
図２，３を参照して、股間パネル１３は矩形形状を有し、吸収体１１と、肌対向面側に吸収体１１が接合される内面シート４４と、内面シート４４の非肌対向面側に接合される外面シート４５とを含んで構成される。股間パネル１３は、横方向Ｘに延びる前後端部１３ａ，１３ｂと、縦方向Ａに延びる両側縁部１３ｃ，１３ｄを有し、股間パネル１３の前後端部１３ａ，１３ｂの非肌対向面が、それぞれ、前ベルト１８及び後ベルト１９の肌対向面の中央部にホットメルト接着剤により接合されている。この実施形態では、ホットメルト接着剤は、前ベルト１８及び後ベルト１９と、股間パネル１３の前後端部１３ａ，１３ｂとの間に、縦方向Ａと平行な方向にストライプ状に塗布されている（図示せず）。また、股間パネル１３の両側縁部１３ｃ，１３ｄには、縦方向Ａに延びる脚回り弾性部材３２が伸長状態で取り付けられている。さらに、股間パネル１３の肌対向面側には、両側縁部１３ｃ，１３ｄに並行に延びる一対の立体カフ４０が設けられている。
【００１６】
内面シート４４は、吸収体１１の非肌対向面を完全に覆うことができる面積を有しており、液不透過性のプラスチックフィルムから形成されている。外面シート４５は、おむつ１０の内外面の一部を構成するので、通気性があり肌触りの良い繊維不織布で形成することが好ましい。吸収体１１は、縦方向Ａにおける中央部が内側に窪んだ砂時計型の形状を有しており、例えば、フラッフパルプ及び超吸収性ポリマー粒子（ＳＡＰ）等の公知の体液吸収性材料をティッシュペーパで包み、液透過性と柔軟性を有する不織布で覆うことにより形成することができるが、これに限定されない。吸収体１１は、内面シート４４の肌対向面にホットメルト接着剤により接合されている。また、吸収体１１の上下端部１１ａ，１１ｂは、それぞれ前後ベルト１８，１９の胴回り弾性部材３０が存在する部分と重なり合っており、弾性部材３０の伸縮に伴い、吸収体１１の上下端部１１ａ，１１ｂの横方向Ｘにおける寸法も変化し得る。
【００１７】
股間パネル１３を構成する外面シート４５は、横方向Ｘにおける寸法が内面シート４４よりも大きく、内面シート４４に重ね合わされて接合されたとき、横方向Ｘにおいて内面シート４４の両外側に延び出す一対の延出部４６を有する。吸収体１１は一対の延出部４６の間に位置する。各延出部４６において、内面シート４４の側縁に沿って延びる領域には、縦方向Ａに延びる複数条の脚回り弾性部材３２が伸長状態でホットメルト接着剤により取り付けられている。脚回り弾性部材３２には、横方向Ｘにおいて吸収体１１に最も近い内側弾性部材３２ａと、吸収体１１から最も遠い外側弾性部材３２ｂとが含まれている。
【００１８】
また、外面シート４５の両側縁部では、肌対向面を内側にして折り返してスリーブ４３が形成されており、このスリーブ４３の中に、縦方向Ａに延びる複数条の立体カフ弾性部材４２が伸長状態でホットメルト接着剤により取り付けられている。スリーブ４３は、立体カフ４０の自由縁部４０ｄとして機能する。脚回り弾性部材３２及び立体カフ弾性部材４２には、胴回り弾性部材３０と同様の弾性糸を用いることができる。脚回り弾性部材３２及び立体カフ弾性部材４２の伸長倍率は、２．０〜３．５倍の範囲にすることができる。立体カフ弾性部材４２の伸長倍率を、胴回り弾性部材３０の伸長倍率より高くすることが好ましく、例えば、立体カフ弾性部材４２の伸長倍率の値を、胴回り弾性部材３０の伸長倍率の値よりも１．１〜１．３倍高い値にすることが好ましい。これにより、立体カフ弾性部材４２を胴回り弾性部材３０よりも大きく収縮可能にして立体カフ４０を低月齢児の脚にフィットさせることができるので、脚を通すための箇所の寸法を大きくしたおむつ１０の脚回りからの体液の漏れを防止することができる。
【００１９】
図４に示すように、外面シート４５は外側弾性部材３２ｂに沿って肌対向面を内側にして折り返され、折り返された外面シート４５の間には、内側弾性部材３２ａを含む脚回り弾性部材３２と、内面シート４４の側縁とが挟み込まれる。折り返した外面シート４５の対向面どうしの外側弾性部材３２ｂから内側弾性部材３２ａに至る部分が、ホットメルト接着剤により貼り合わされている。なお、図４では外面シート４５の折り返し線を一点鎖線で示している。おむつ１０が着用されたとき、外面シート４５を折り返して外側弾性部材３２ｂを伸長状態で挟み込んだ部分が、脚回り開口縁２３の一部を形成して低月齢児の脚にフィットすることにより漏れを防止する。なお、股間パネル１３の横方向Ｘにおける寸法は、おむつ１０を平面状に伸展したときの一対の外側弾性部材３２ｂ間の距離に相当する。
【００２０】
一方、縦方向Ａに延びる内側弾性部材３２ａは、平面視において立体カフ４０の固定縁部４０ｃとほぼ重なり合う。立体カフ４０は、股間パネル１３の両側縁部１３ｃ，１３ｄに沿って延び、固定縁部４０を基端部として股間パネル１３に対し起立可能である。立体カフ４０の両端部４０ａ，４０ｂは、それぞれ前ベルト１８上と後ベルト１９上とに位置し、図５に示すように、自由縁部４０ｄ（スリーブ４３）をおむつ１０の外方に向けて折り返した状態で、吸収体１１の肌対向面にホットメルト接着剤により接合されることにより、前ベルト１８及び後ベルト１９に対し接合される。立体カフ４０の残余の部分は他の部材に接合されていないため、おむつ１０が着用されたとき、図４に仮想線で示すように、立体カフ弾性部材４２の収縮により股間パネル１３に対し起立した状態になる。また、両端部４０ａ，４０ｂにおいて自由縁部４０ｄがおむつ１０の外方に向けて折り返された状態で接合されているため、立体カフ４０は、起立した状態からおむつ１０の外方に向けて倒れ易くなる。これにより、低月齢児におむつ１０を着用させるとき、低月齢児の脚が立体カフ４０に引っかかることが防止される。
【００２１】
また、立体カフ弾性部材４２の伸長倍率を、脚回り弾性部材３２の伸長倍率の伸長倍率と同じにすることが好ましい。これにより、低月齢児の脚に対して同等の収縮力で脚回り弾性部材３２及び立体カフ弾性部材４２が接するので、脚回りからのモレ防止効果を高めることができる。また、低月齢児の脚に対するフィット性を確保するために必要な収縮力を、脚回り弾性部材３２及び立体カフ弾性部材４２に均等に配分することで、どちらか一方のギャザー跡が悪化するようなことがない。脚回り弾性部材３２の伸長倍率を立体カフ弾性部材４２より高くすると、おむつ１０を装着させたとき立体カフ弾性部材４２がたるんでしまい低月齢児の体に密着し難くなる結果モレ防止効果が低下し、また、脚回り開口部を通して尿便が透けて見えてしまい、モレが生じているように見えてしまう。さらに、脚回り弾性部材３２が吸収体１１を主に支えるため、おむつ１０の脚繰りが狭くなりがちになる。一方、脚回り弾性部材３２の伸長倍率を立体カフ弾性部材４２より低くすると、脚回り弾性部材３２が低月齢児の体に密着せず隙間が出来るためモレ防止効果が低下する。また、立体カフ弾性部材４２の伸長倍率が脚回り弾性部材３２よりも高くなるので、低月齢児の股間に立体カフ４０が食い込み易くなる。
【００２２】
再び図２を参照して、本発明のおむつ１０では、前後ベルト１８，１９のシーム部２０における接合を解いておむつ１０を平面状に伸展したとき、前後ベルト１８，１９の上端部１８ａ，１９ａどうしの間の離間寸法Ｌ１が３００ｍｍ〜４００ｍｍの範囲にある。また、シーム部２０を横切る胴回り弾性部材３０の内、前ベルト１８の下端部１８ｂに最も近い前ベルト１８側の胴回り弾性部材３０ｂと、後ベルト１９の下端部１９ｂに最も近い後ベルト１９側の胴回り弾性部材３０ｂの間の離間寸法Ｌ２が、上端部１８ａ，１９ａどうしの間の離間寸法Ｌ１の少なくとも５５％である。好ましくは、離間寸法Ｌ２は、離間寸法Ｌ１の６０％〜８０％の範囲であり、より好ましくは６０％〜７０％の範囲である。離間寸法Ｌ１及び離間寸法Ｌ２をこのような範囲にすることにより、脚回り開口縁２３の伸長可能範囲を大きくすることができるので、仰向けに寝た状態の低月齢児におむつ１０を装着させる際に脚を通すための箇所の寸法を大きくすることが可能となり、低月齢児のＭ字型に開いた両脚を無理なく通して装着させることができるパンツ型おむつが提供される。なお、離間寸法Ｌ２が離間寸法Ｌ１の５５％未満の場合、脚回り開口縁２３の伸長可能範囲を十分大きくすることができないため、低月齢児の脚を通し難くなる。一方、離間寸法Ｌ２が離間寸法Ｌ１の８０％を超えると、脚回り開口縁２３から漏れが生じやすくなる。また、離間寸法Ｌ１が４００ｍｍを超えると、股間部のもたつきにより外観が悪くなるばかりでなく、脚回り開口縁２３に隙間ができ易くなること、及び排尿口と吸収体１１との距離が遠くなることにより、漏れが生じ易くなる。
【００２３】
また、本発明の一態様では、脚回り弾性部材３２及び胴回り弾性部材３０が伸長状態にあるとき、各脚回り開口縁２３の周長が３３０ｍｍ〜４３０ｍｍの範囲にあることが好ましい。ここで言う「脚回り開口縁２３の周長」とは、図２の紙面左側の脚回り開口縁２３を例にとると、脚回り弾性部材３２及び胴回り弾性部材３０が伸長状態にあるときの、前ベルト１８の下端部１８ｂに最も近い胴回り弾性部材３０ｂと、シーム部２０の内側２１との交点から出発して、前ベルト１８側の胴回り弾性部材３０ｂ、股間パネル１３の側縁部１３ｃに最も近い脚回り弾性部材３２、後ベルト１９の下端部１９ｂに最も近い胴回り弾性部材３０ｂを経由して、後ベルト１９側の胴回り弾性部材３０ｂと、シーム部２０の内側２１との交点に至る経路の長さを意味する。ここで、前ベルト１８の下端部１８ｂに最も近い胴回り弾性部材３０ｂとは、シーム部２０を横切る胴回り弾性部材３０の内、前ベルト１８の下端部１８ｂに最も近い前ベルト１８側の胴回り弾性部材３０ｂを意味し、後ベルト１９の下端部１９ｂに最も近い胴回り弾性部材３０ｂとは、シーム部２０を横切る胴回り弾性部材３０の内、後ベルト１９の下端部１９ｂに最も近い後ベルト１９側の胴回り弾性部材３０ｂを意味する。紙面右側の脚回り開口縁２３についても同様である。脚回り開口縁２３の周長が４３０ｍｍを超えると、おむつ１０の脚回りから体液が漏れ易くなり、３３０ｍｍ未満の場合は、低月齢児におむつ１０を着用させるとき、脚を通し難くなる。
【００２４】
本発明の別の態様では、胴回り弾性部材３０が伸長状態にあるとき、胴回り開口縁２２の周長が５５０ｍｍ〜６５０ｍｍの範囲であることが好ましい。ここで言う「胴回り開口縁２２の周長」とはシーム部２０の内側２１を起点とする周長であり、詳しくは、胴回り弾性部材３０が伸長状態にあるとき、いずれか一方のシーム部２０の内側２１から前後ベルト１８，１９の上端部１８ａ，１９ａを経由して元のシーム部２０の内側２１に戻る経路における周長を意味する。胴回り開口縁２２の周長が６５０ｍｍを超えると、低月齢児の細い体にフィットさせるために胴回り弾性部材３０の伸長倍率を大きくする必要が生じ、低月齢児の腹部に胴回り弾性部材３０で押された跡がつく可能性があるため、好ましくない。胴回り開口縁２２の周長が５５０ｍｍ未満の場合には、低月齢児におむつ１０を着用させる際に、Ｍ字型に開いた脚を通し難くなる。
【００２５】
本発明の別の態様では、前後ベルト１８，１９の横方向Ｘにおける寸法に対する股間パネル１３の横方向Ｘにおける寸法の比率が少なくとも５０％であり、好ましくは５０％〜７０％の範囲である。この寸法の比率が５０％未満の場合は、低月齢児のＭ字型に開いた脚と股間パネル１３との間に隙間が生じ易く、漏れの原因となる。なお、前後ベルト１８，１９の横方向Ｘにおける寸法とは、おむつ１０を平面状に伸展したときの、前ベルト１８または後ベルト１９における一対のシーム部２０の内側２１の間の最小離間距離を意味する。また、股間パネル１３の横方向Ｘにおける寸法とは、おむつ１０を平面状に伸展したときの股間パネル１３の両側縁１３ｃ，１３ｄの間の寸法を意味する。
【００２６】
低月齢児のＭ字型に開いた両脚を通して無理なく装着させることを目的としておむつ１０の脚回りの寸法を大きくすると、脚回りから体液の漏れが生じるおそれがあるが、立体カフ４０を設けることにより、このような漏れを防止できるので好ましい。また前述のように、立体カフ弾性部材４２の伸長倍率を胴回り弾性部材３０の伸長倍率より高くするとともに、立体カフ４０を起立した状態からおむつ１０の外方に向けて倒れ易くすることにより、おむつ１０の漏れ防止と履かせやすさを両立させることができる。
【００２７】
上記では、矩形の前後ベルト１８，１９、及び股間パネル１３からなる低月齢児用のパンツ型おむつ１０の例について説明したが、本願発明はこれに限定されず、例えば前後ベルト１８，１９の下端部１８ｂ，１９ｂが下方に向けて台形状又は円弧状に突き出す形状であってもよい。また、前ベルト１８と後ベルト１９の縦方向Ａにおける寸法が等しい例について説明したが、例えば縦方向Ａにおける寸法が、前ベルト１８よりも後ベルト１９の方が大きい形状であってもよい。
【００２８】
おむつ１０を構成する各構成部材には、特に明記されていない限りにおいて、本明細書に記載されている材料のほかに、この種の分野において通常用いられている、各種公知の材料を制限なく用いることができる。また、「ホットメルト接着剤により接合」とは、特に断りの無い限り、スパイラル状、ドット状、ストライプ状等、公知のパターンでホットメルト接着剤を塗布して接合することを意味する。
【００２９】
以上に記載した本発明に関する開示は、少なくとも下記事項に要約することができる。
互いに直交する横方向、前後方向、及び上下方向を有し、横方向に延びる前ベルト及び後ベルトと、上下方向に延びて前後ベルトに接合される股間パネルとを備え、前後ベルトのそれぞれに、横方向に延びる複数条の胴回り弾性部材が伸長状態で取り付けられ、股間パネルの両側縁部に脚回り弾性部材が伸長状態で取り付けられており、前後ベルトの側縁部どうしがシーム部において接合されて、前後ベルトの上端部により胴回り開口縁が形成され、前後ベルトの下端部と股間パネルの両側縁部とにより一対の脚回り開口縁が形成される低月齢児用のパンツ型おむつであって、前後ベルトのシーム部における接合を解いておむつを平面状に伸展したとき、前後ベルトの上端部どうしの間の離間寸法が３００ｍｍ〜４００ｍｍの範囲にあり、シーム部を横切る胴回り弾性部材の内、前ベルトの下端部に最も近い前ベルト側の胴回り弾性部材と、後ベルトの下端部に最も近い後ベルト側の胴回り弾性部材との離間寸法が、前後ベルトの上端部どうしの間の離間寸法の少なくとも５５％である。
【００３０】
上記の本発明は、少なくとも下記の実施の形態を含むことができる。
（１）脚回り弾性部材及び胴回り弾性部材が伸長状態にあるとき、一対の脚回り開口縁のそれぞれの周長が３３０ｍｍ〜４３０ｍｍの範囲にある。
（２）胴回り弾性部材が伸長状態にあるとき、胴回り開口縁の周長が５５０ｍｍ〜６５０ｍｍの範囲である。
（３）前後ベルトの横方向の寸法に対する股間パネルの横方向の寸法の比率が少なくとも５０％である。
（４）胴回り弾性部材の伸長倍率よりも、脚回り弾性部材の伸長倍率の方が高い。
（５）おむつを前後ベルトの側縁部の接合を解いて平面状に伸展したとき、股間パネルの両側縁部に沿って一対の立体カフが設けられ、立体カフは股間パネルの両側縁部に並行に延びる固定縁部及び自由縁部と、固定縁部及び自由縁部に直交する両端部とを有し、自由縁部には立体カフ弾性部材が伸長状態で取り付けられ、両端部において、自由縁部がおむつの横方向における外方に向けて折り返されて前後ベルトに対し接合されている。
（６）脚回り弾性部材と立体カフ弾性部材の伸長倍率が互いに等しい。
【符号の説明】
【００３１】
１０    低月齢児用パンツ型おむつ
１１    吸収体
１３    股間パネル
１３ｃ，１３ｄ  股間パネルの側縁部
１８    前ベルト
１８ａ  前ベルトの上端部
１８ｂ  前ベルトの下端部
１８ｃ，１８ｄ  前ベルトの側縁部
１９    後ベルト
１９ａ  後ベルトの上端部
１９ｂ  後ベルトの下端部
１９ｃ，１９ｄ  後ベルトの側縁部
２０    シーム部
２２    胴回り開口縁
２３    脚回り開口縁
３０    胴回り弾性部材
３０ｂ  下端部に最も近い弾性部材
３２    脚回り弾性部材
４０    立体カフ４０
４０ａ，４０ｂ  立体カフの両端部
４０ｃ  固定縁部
４０ｄ  自由縁部
４２    立体カフ弾性部材
Ｘ      横方向
Ｙ      前後方向
Ｚ      上下方向
Ａ      縦方向
【図１】
2014150908.tif 000003
【図２】
2014150908.tif 000004
【図３】
2014150908.tif 000005
【図４】
2014150908.tif 000006
【図５】
2014150908.tif 000007